(57)【要約】【課題】より安全性に優れた充電システムの提供。【解決手段】充電装置１０と二次電池装置２０とを含む充電システム。充電装置１０の充電端子Ｔ１１に二次電池装置２０が接続された際、充電端子Ｔ１１に直流電源部１１から検査用直流電圧を供給して直流信号検出部１３によって直流信号を検出すると共に、充電端子Ｔ１１に交流電源部１２から検査用交流電圧を供給して交流信号検出部１４によって交流信号を検出する。直流信号値が二次電池装置２０の抵抗値によって定まる基準範囲に含まれると共に、交流信号値が二次電池装置２０のインピーダンス値によって定まる基準範囲に含まれる場合にのみ、二次電池装置２０に充電を開始する。【選択図】図１
2018050396.tif 000002
【特許請求の範囲】
【請求項１】
充電装置と、前記充電装置によって充電される二次電池装置と、を含む充電システムであって、
前記充電装置は、
前記二次電池装置が接続される充電端子と、
前記充電端子に直流電圧を供給する直流電源部と、
前記充電端子に交流電圧を供給する交流電源部と、
前記充電端子に接続された物体の抵抗値によって変化する直流信号を検出する直流信号検出部と、
前記充電端子に接続された前記物体のインピーダンス値によって変化する交流信号を検出する交流信号検出部と、を備え、
前記充電端子に前記二次電池装置が接続された際、
前記充電端子に前記直流電源部から検査用直流電圧を供給して、前記直流信号検出部によって直流信号を検出すると共に、前記充電端子に前記交流電源部から検査用交流電圧を供給して、前記交流信号検出部によって交流信号を検出し、
検出された直流信号の値が、前記二次電池装置の抵抗値によって定まる基準範囲に含まれると共に、検出された交流信号の値が、前記二次電池装置のインピーダンス値によって定まる基準範囲に含まれる場合にのみ、前記二次電池装置に対する充電を開始する、
充電システム。
【請求項２】
前記二次電池装置が、
前記充電端子に接続された電池セルと、
前記電池セルに接続されたフィルタ回路と、を備えている、
請求項１に記載の充電システム。
【請求項３】
前記直流信号検出部が検出する直流信号が、直流電圧であり、
前記交流信号検出部が検出する交流信号が、交流電圧である、
請求項１又は２に記載の充電システム。
【請求項４】
前記二次電池装置が、自律移動ロボットに搭載されている、
請求項１〜３のいずれか一項に記載の充電システム。
【発明の詳細な説明】
【技術分野】
【０００１】
本発明は、充電システムに関し、特に充電装置により二次電池装置を充電する充電システムに関する。
【背景技術】
【０００２】
一般的に、充電装置により二次電池装置を充電する充電システムでは、安全性の観点から、充電対象物（すなわち二次電池装置）でない物体に対して充電を開始しないように、充電装置の充電端子に接触した物体が充電対象物であるか否かを判定している。そして、当該物体が充電対象物であると判定した場合にのみ、充電を開始する。
特許文献１に開示された充電装置では、充電装置の充電端子に物体が接触した際、当該物体の抵抗値によって変化する直流電圧を検出し、当該物体が充電対象物であるか否かを判定している。
【先行技術文献】
【特許文献】
【０００３】
【特許文献１】特開２００７−２６７５８４号公報
【発明の概要】
【発明が解決しようとする課題】
【０００４】
しかしながら、特許文献１に開示された手法では、充電装置の充電端子に接触した物体の抵抗値が、たまたま充電対象物の抵抗値と等しい場合には、充電対象物でない物体に対して、誤って充電を開始してしまう虞があった。
【０００５】
本発明は、このような事情に鑑みなされたものであって、より安全性に優れた充電システムを提供するものである。
【課題を解決するための手段】
【０００６】
本発明の一態様に係る充電システムは、
充電装置と、前記充電装置によって充電される二次電池装置と、を含む充電システムであって、
前記充電装置は、
前記二次電池装置が接続される充電端子と、
前記充電端子に直流電圧を供給する直流電源部と、
前記充電端子に交流電圧を供給する交流電源部と、
前記充電端子に接続された物体の抵抗値によって変化する直流信号を検出する直流信号検出部と、
前記充電端子に接続された前記物体のインピーダンス値によって変化する交流信号を検出する交流信号検出部と、を備え、
前記充電端子に前記二次電池装置が接続された際、
前記充電端子に前記直流電源部から検査用直流電圧を供給して、前記直流信号検出部によって直流信号を検出すると共に、前記充電端子に前記交流電源部から検査用交流電圧を供給して、前記交流信号検出部によって交流信号を検出し、
検出された直流信号の値が、前記二次電池装置の抵抗値によって定まる基準範囲に含まれると共に、検出された交流信号の値が、前記二次電池装置のインピーダンス値によって定まる基準範囲に含まれる場合にのみ、前記二次電池装置に対する充電を開始するものである。
【０００７】
本発明の一態様に係る充電システムでは、充電端子に二次電池装置が接続された際、充電端子に直流電源部から検査用直流電圧を供給して、直流信号検出部によって直流信号を検出すると共に、充電端子に交流電源部から検査用交流電圧を供給して、交流信号検出部によって交流信号を検出する。そして、検出された直流信号の値が、二次電池装置の抵抗値によって定まる基準範囲に含まれると共に、検出された交流信号の値が、二次電池装置のインピーダンス値によって定まる基準範囲に含まれる場合にのみ、二次電池装置に対する充電を開始する。
すなわち、本発明の一態様に係る充電システムは、充電端子に接続された物体の抵抗値だけでなくインピーダンス値も二次電池装置と等しくなければ、充電が開始されない構成になっている。抵抗値だけでなくインピーダンス値も二次電池装置と等しくなる確率は、抵抗値のみが二次電池装置と等しくなる確率に比べ、格段に低い。そのため、従来よりも格段に安全性に優れている。
【０００８】
前記二次電池装置が、前記充電端子に接続された電池セルと、前記電池セルに接続されたフィルタ回路と、を備えていることが好ましい。
このような構成により、二次電池装置のインピーダンス値の製造ばらつきを抑制することができる。そのため、二次電池装置のインピーダンス値によって定まる基準範囲の幅を狭くすることができる。その結果、充電装置の充電端子に接続された物体が二次電池装置であるか否かの判定の精度を向上させることができる。
【０００９】
また、前記直流信号検出部が検出する直流信号が、直流電圧であり、前記交流信号検出部が検出する交流信号が、交流電圧であることが好ましい。
このような構成により、簡易な回路構成とすることができる。
【００１０】
さらに、前記二次電池装置が、自律移動ロボットに搭載されていることが好ましい。
本発明の一態様に係る充電システムは、このような用途に特に好適である。
【発明の効果】
【００１１】
本発明により、より安全性に優れた充電システムを提供することができる。
【図面の簡単な説明】
【００１２】
【図１】第１の実施形態に係る充電システムを示すブロック図である。
【図２】第１の実施形態に係る充電システムを用いた充電制御方法の一例を示すフローチャートである。
【図３】第１の実施形態に係る充電システムを用いた充電制御方法の他の例を示すフローチャートである。
【図４】第２の実施形態に係る充電システムの二次電池装置２０を示すブロック図である。
【図５】第３の実施形態に係る充電システムを示すブロック図である。
【発明を実施するための形態】
【００１３】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。
【００１４】
（第１の実施形態）
＜充電システムの構成＞
図１を参照して、第１の実施形態に係る充電システムについて説明する。図１は、第１の実施形態に係る充電システムを示すブロック図である。
【００１５】
図１に示すように、第１の実施形態に係る充電システムは、充電装置１０、二次電池装置２０を備えている。充電装置１０の充電端子Ｔ１１に二次電池装置２０の充電端子Ｔ２１が接続されると共に、充電装置１０のグランド端子Ｔ１２に二次電池装置２０のグランド端子Ｔ２２が接続され、充電装置１０によって二次電池装置２０が充電される。
【００１６】
まず、充電装置１０の構成について説明する。
図１に示すように、充電装置１０は、直流電源部１１、交流電源部１２、直流信号検出部１３、交流信号検出部１４、充電制御部１５を備えている。
【００１７】
図１に示すように、直流電源部１１は、直流電源ＤＰとスイッチＳＷ１を備えている。ここで、図１には、直流電源部１１の内部抵抗ｒも併せて図示されている。スイッチＳＷ１のオン・オフが充電制御部１５により制御されている。スイッチＳＷ１がオンの場合、直流電源部１１から充電端子Ｔ１１に直流電圧が供給され、スイッチＳＷ１がオフの場合、直流電源部１１から充電端子Ｔ１１への直流電圧の供給が遮断される。
【００１８】
ここで、直流電源部１１から充電端子Ｔ１１に供給される直流電圧には、充電用直流電圧と検査用直流電圧とがある。充電用直流電圧とは、二次電池装置２０を充電するため、充電開始から充電完了に至るまで長時間に亘り、充電端子Ｔ１１に対して供給される直流電圧である。一方、検査用直流電圧とは、充電端子Ｔ１１に接続された物体が二次電池装置２０であるか否かを判定するために、充電開始前に充電端子Ｔ１１に対して一時的に供給される直流電圧である。
【００１９】
本実施形態では、充電用直流電圧の値と、検査用直流電圧の値とが等しい。しかしながら、充電用直流電圧の値と、検査用直流電圧の値とが、異なっていてもよい。例えば、検査用直流電圧の値が、充電用直流電圧の値よりも小さくなるように、充電制御部１５が直流電源ＤＰを制御してもよい。充電用直流電圧の値は、例えば２４〜４２Ｖ程度である。
【００２０】
交流電源部１２は、交流電源ＡＰとスイッチＳＷ２を備えている。ここで、図１には、交流電源部１２の内部インピーダンス（出力インピーダンス）ｚも併せて図示されている。スイッチＳＷ２のオン・オフが充電制御部１５により制御されている。スイッチＳＷ２がオンの場合、交流電源部１２から充電端子Ｔ１１に交流電圧が供給され、スイッチＳＷ２がオフの場合、交流電源部１２から充電端子Ｔ１１への交流電圧の供給が遮断される。
【００２１】
ここで、交流電源部１２から充電端子Ｔ１１に供給される交流電圧は、検査用直流電圧のみである。検査用交流電圧は、充電開始前に充電端子Ｔ１１に接続された物体が二次電池装置２０であるか否かを判定するために、充電端子Ｔ１１に対して一時的に供給される。検査用交流電圧は、検査用直流電圧に重畳して充電端子Ｔ１１へ供給されるのが好ましい。検査用交流電圧は、一定周期、一定振幅で印加してもよいし、数種類の周期や振幅で印加してもよい。例えば、周期や振幅をスイープしてもよい。
【００２２】
直流信号検出部１３は、充電端子Ｔ１１に接続された物体の抵抗値によって変化する直流信号を検出する。図１に示すように、本実施形態では、充電端子Ｔ１１に接続された物体（図１の例では、二次電池装置２０）の抵抗と直流電源部１１の内部抵抗ｒとによって分圧された充電端子Ｔ１１の直流電圧が、直流信号として検出される。ここで、直流電源部１１の内部抵抗ｒと充電端子Ｔ１１に接続された物体の抵抗とは、直流電源ＤＰとグランドとの間において直列接続される。直流信号検出部１３によって検出された充電端子Ｔ１１の直流電圧が、充電制御部１５に対して出力される。直流信号検出部１３は、回路などのハードウェアで構成してもよいし、プログラムなどのソフトウェアによる機能で構成してもよい。
なお、直流信号として充電端子Ｔ１１を流れる直流電流を検出してもよい。この場合、電流検出回路を設ける必要がある。すなわち、本実施形態のように直流電圧を検出した方が、簡易な回路構成とすることができ、好ましい。
【００２３】
さらに、充電端子Ｔ１１に二次電池装置２０が接続された場合の充電端子Ｔ１１の直流電圧を基準直流電圧Ｖｄｓとして、より具体的に説明する。基準直流電圧Ｖｄｓは、二次電池装置２０の抵抗値によって定まる。充電端子Ｔ１１に接続された物体の抵抗値が二次電池装置２０の抵抗値よりも高い場合、検出される充電端子Ｔ１１の直流電圧は基準直流電圧Ｖｄｓよりも高くなる。他方、充電端子Ｔ１１に接続された物体の抵抗値が二次電池装置２０の抵抗値よりも低い場合、検出される充電端子Ｔ１１の直流電圧は基準直流電圧Ｖｄｓよりも低くなる。そのため、充電端子Ｔ１１に接続された物体が二次電池装置２０であるか否か判定することができる。
【００２４】
交流信号検出部１４は、充電端子Ｔ１１に接続された物体のインピーダンス値によって変化する交流信号を検出する。図１に示すように、本実施形態では、充電端子Ｔ１１に接続された物体（図１の例では、二次電池装置２０）のインピーダンスと交流電源部１２の内部インピーダンスｚとによって分圧された充電端子Ｔ１１の交流電圧が、交流信号として検出される。ここで、交流電源部１２の内部インピーダンスｚと充電端子Ｔ１１に接続された物体のインピーダンスとは、交流電源ＡＰとグランドとの間において直列接続される。交流信号検出部１４によって検出された充電端子Ｔ１１の交流電圧が、充電制御部１５に対して出力される。交流信号検出部１４は、回路などのハードウェアで構成してもよいし、プログラムなどのソフトウェアによる機能で構成してもよい。
なお、交流信号として充電端子Ｔ１１を流れる交流電流を検出してもよい。この場合、電流検出回路を設ける必要がある。すなわち、本実施形態のように交流電圧を検出した方が、簡易な回路構成とすることができ、好ましい。
【００２５】
さらに、充電端子Ｔ１１に二次電池装置２０が接続された場合の充電端子Ｔ１１の交流電圧を基準交流電圧Ｖａｓとして、より具体的に説明する。基準交流電圧Ｖａｓは、二次電池装置２０のインピーダンス値によって定まる。充電端子Ｔ１１に接続された物体のインピーダンス値が二次電池装置２０のインピーダンス値よりも高い場合、検出される充電端子Ｔ１１の交流電圧は基準交流電圧Ｖａｓよりも高くなる。他方、充電端子Ｔ１１に接続された物体のインピーダンス値が二次電池装置２０のインピーダンス値よりも低い場合、検出される充電端子Ｔ１１の交流電圧は基準交流電圧Ｖａｓよりも低くなる。そのため、充電端子Ｔ１１に接続された物体が二次電池装置２０であるか否か判定することができる。
【００２６】
充電制御部１５は、図１に示していないが、例えばＣＰＵ（Central Processing Unit）などの演算部と、各種制御プログラムやデータなどが格納されたＲＡＭ（Random Access Memory）、ＲＯＭ（Read Only Memory）などの記憶部と、を備えている。
【００２７】
図１に示すように、充電制御部１５は、充電端子Ｔ１１に物体が接続されたことを検知する。例えば、充電端子Ｔ１１は押しボタン式になっており、充電制御部１５は、充電端子Ｔ１１に物体が接続されたことを検知することができる。また、充電端子Ｔ１１に微小な電圧や電流を常時供給しておくことにより、充電端子Ｔ１１に物体が接続されたことを検知してもよい。
【００２８】
充電制御部１５は、物体の接続を検知すると、充電端子Ｔ１１に検査用直流電圧を供給するように直流電源部１１を制御する。それと共に、充電制御部１５は、充電端子Ｔ１１に検査用交流電圧を供給するように交流電源部１２を制御する。
【００２９】
充電制御部１５には、検査用直流電圧の供給に応じて直流信号検出部１３が検出した直流電圧が入力される。充電制御部１５は、入力された直流電圧の値が、二次電池装置２０の抵抗値によって定まる基準範囲に含まれるか否か判定する。この基準範囲は、上述の基準直流電圧Ｖｄｓに幅を持たせたものであり、例えば記憶部に格納されている。基準範囲の幅は、二次電池装置２０の抵抗値の製造ばらつきなどに基づいて適宜決定される。
【００３０】
また、充電制御部１５には、検査用交流電圧の供給に応じて交流信号検出部１４が検出した交流電圧が入力される。充電制御部１５は、入力された交流電圧の値が、二次電池装置２０のインピーダンス値によって定まる基準範囲に含まれるか否か判定する。この基準範囲は、上述の基準交流電圧Ｖａｓに幅を持たせたものであり、例えば記憶部に格納されている。基準範囲の幅は、二次電池装置２０のインピーダンス値の製造ばらつきなどに基づいて適宜決定される。
【００３１】
そして、充電制御部１５は、入力された直流電圧及び交流電圧の値がいずれも基準範囲に含まれる場合にのみ、充電端子Ｔ１１に接続された物体が二次電池装置２０であると判定し、二次電池装置２０に対する充電を開始する。すなわち、入力された直流電圧及び交流電圧の値がいずれも基準範囲に含まれる場合、充電制御部１５は、充電端子Ｔ１１に充電用直流電圧を供給するように直流電源部１１を制御する。
【００３２】
反対に、充電制御部１５は、入力された直流電圧及び交流電圧の値いずれかが基準範囲に含まれない場合、充電端子Ｔ１１に接続された物体は二次電池装置２０でないと判定し、二次電池装置２０に対する充電を開始しない。
【００３３】
次に、二次電池装置２０の構成について説明する。
図１に示すように、二次電池装置２０は、電池セル２１、電池管理部２２、スイッチＳＷ３を備えている。
電池セル２１は、二次電池装置２０の充電端子Ｔ２１とグランド端子Ｔ２２との間において、複数の単セルが直列接続された構造を有している。また、電池セル２１は、二次電池装置２０の充電端子Ｔ２１とグランド端子Ｔ２２との間において、スイッチＳＷ３と直列に接続されている。
【００３４】
電池管理部２２は、過充電による熱暴走などを抑制するため、各単セルの温度、電圧、電流などを監視している。電池管理部２２は、過充電や温度の異常上昇などを検知すると、スイッチＳＷ３をオフにして、電池セル２１への充電を中止する。すなわち、正常に充電が行われていれば、スイッチＳＷ３は常時オンになっている。電池管理部２２は、例えば、いわゆるバッテリーマネジメントシステム（ＢＭＳ：Battery Management System）である。
【００３５】
以下に、第１の実施形態に係る充電システムが奏する効果について説明する。
従来の手法では、充電装置の充電端子に接続された物体が二次電池装置（充電対象物）であるか否かを判定する際に、検査用直流電圧しか供給していなかった。そのため、充電端子に接触した物体の抵抗値が、たまたま二次電池装置の抵抗値と等しい場合には、二次電池装置でない物体に対して、誤って充電を開始してしまう虞があった。
【００３６】
これに対し、第１の実施形態に係る充電システムでは、充電装置１０の充電端子Ｔ１１に接続された物体が二次電池装置２０であるか否かを判定する際に、検査用直流電圧に加え検査用交流電圧を供給する。そのため、第１の実施形態に係る充電システムでは、充電端子Ｔ１１に接触した物体の抵抗値だけでなくインピーダンス値も二次電池装置２０と等しくなければ、充電が開始されない構成になっている。抵抗値だけでなくインピーダンス値も二次電池装置２０と等しくなる確率は、抵抗値のみが二次電池装置２０と等しくなる確率に比べ、格段に低い。従って、第１の実施形態に係る充電システムは、従来よりも安全性が格段に向上し、安全性に優れている。
【００３７】
第１の実施形態に係る充電システムは用途を何ら限定されないが、例えば二次電池装置２０が自律移動ロボットに搭載された用途に特に好適である。自律移動ロボットの場合、充電装置１０への着脱を自律移動ロボット自身が行う。そのため、自律移動ロボットが充電装置１０から離れた状態すなわち非充電時にも、充電装置１０が常に充電可能な状態になっている。そのため、自律移動ロボットの充電システムには、特に高い安全性が要求される。
【００３８】
＜充電システムを用いた充電制御方法の一例＞
次に、図２を参照して、第１の実施形態に係る充電システムを用いた充電制御方法の一例について説明する。図２は、第１の実施形態に係る充電システムを用いた充電制御方法の一例を示すフローチャートである。図２の説明に当たっては、図１に示した充電システムのブロック図も参照する。
【００３９】
図２に示すように、まず、図１に示す充電制御部１５が、充電装置１０の充電端子Ｔ１１に物体が接続されたことを検出する（ステップＳＴ１１）。
【００４０】
次に、充電制御部１５の制御に基づいて、直流電源部１１のスイッチＳＷ１がオンになり、充電端子Ｔ１１に検査用直流電圧が供給される。これに伴い、直流信号検出部１３が充電端子Ｔ１１の直流電圧を検出する（ステップＳＴ１２）。上述の通り、ここで検出される充電端子Ｔ１１の直流電圧は、充電端子Ｔ１１に接続された物体（図１の例では、二次電池装置２０）の抵抗と直流電源部１１の内部抵抗ｒとによって、直流電源ＤＰの直流電圧が分圧されたものである。
【００４１】
次に、充電制御部１５は、直流信号検出部１３が検出した充電端子Ｔ１１の直流電圧が、二次電池装置２０の抵抗値によって定まる基準範囲に含まれるか否か判定する（ステップＳＴ１３）。上述の通り、この基準範囲は、二次電池装置２０の抵抗値によって定まる基準直流電圧Ｖｄｓに幅を持たせたものである。
【００４２】
直流信号検出部１３が検出した充電端子Ｔ１１の直流電圧が、二次電池装置２０の抵抗値によって定まる基準範囲に含まれない場合（ステップＳＴ１３ＮＯ）、充電制御部１５は、充電端子Ｔ１１に接続された物体が二次電池装置２０でないと判定し、充電を開始せずに終了する。
【００４３】
一方、直流信号検出部１３が検出した充電端子Ｔ１１の直流電圧が、二次電池装置２０の抵抗値によって定まる基準範囲に含まれる場合（ステップＳＴ１３ＹＥＳ）、充電制御部１５の制御に基づいて、交流電源部１２のスイッチＳＷ２がオンになり、充電端子Ｔ１１において検査用交流電圧が検査用直流電圧に重畳される。これに伴い、交流信号検出部１４が充電端子Ｔ１１の交流電圧を検出する（ステップＳＴ１４）。上述の通り、ここで検出される充電端子Ｔ１１の交流電圧は、充電端子Ｔ１１に接続された物体（図１の例では、二次電池装置２０）のインピーダンスと交流電源部１２の内部インピーダンスｚとによって、交流電源ＡＰの交流電圧が分圧されたものである。
【００４４】
次に、充電制御部１５は、交流信号検出部１４が検出した充電端子Ｔ１１の交流電圧が、二次電池装置２０のインピーダンス値によって定まる基準範囲に含まれるか否か判定する（ステップＳＴ１５）。上述の通り、この基準範囲は、二次電池装置２０のインピーダンス値によって定まる基準交流電圧Ｖａｓに幅を持たせたものである。
【００４５】
交流信号検出部１４が検出した充電端子Ｔ１１の交流電圧が、二次電池装置２０のインピーダンス値によって定まる基準範囲に含まれない場合（ステップＳＴ１５ＮＯ）、充電制御部１５は、充電端子Ｔ１１に接続された物体が二次電池装置２０でないと判定し、充電を開始せずに終了する。
【００４６】
一方、交流信号検出部１４が検出した交流電圧が、二次電池装置２０のインピーダンス値によって定まる基準範囲に含まれる場合（ステップＳＴ１５ＹＥＳ）、充電制御部１５は、充電端子Ｔ１１に接続された物体が二次電池装置２０であると判定する。そして、充電制御部１５は、充電端子Ｔ１１に充電用直流電圧を供給するように直流電源部１１を制御し、充電を開始する（ステップＳＴ１６）。
【００４７】
第１の実施形態に係る充電システムを用いた充電制御方法では、充電装置１０の充電端子Ｔ１１に接続された物体が二次電池装置２０であるか否かを判定する際に、検査用直流電圧に加え検査用交流電圧を供給する。そのため、充電端子Ｔ１１に接触した物体の抵抗値だけでなくインピーダンス値も二次電池装置２０と等しくなければ、充電が開始されない構成になっている。抵抗値だけでなくインピーダンス値も二次電池装置２０と等しくなる確率は、抵抗値のみが二次電池装置２０と等しくなる確率に比べ、格段に低い。従って、従来よりも安全性が格段に向上し、安全性に優れている。
【００４８】
第１の実施形態に係る充電システムは用途を何ら限定されないが、例えば二次電池装置２０が自律移動ロボットに搭載された用途に特に好適である。自律移動ロボットの場合、充電装置１０への着脱を自律移動ロボット自身が行う。そのため、自律移動ロボットが充電装置１０から離れた状態すなわち非充電時にも、充電装置１０が常に充電可能な状態になっている。そのため、自律移動ロボットの充電システムには、特に高い安全性が要求される。
【００４９】
＜充電システムを用いた充電制御方法の他の例＞
次に、図３を参照して、第１の実施形態に係る充電システムを用いた充電制御方法の他の例について説明する。図３は、第１の実施形態に係る充電システムを用いた充電制御方法の他の例を示すフローチャートである。
【００５０】
図３に示したステップＳＴ１１、ＳＴ１２、ＳＴ１４、ＳＴ１６は、図２に示したステップＳＴ１１、ＳＴ１２、ＳＴ１４、ＳＴ１６と同じである。
図３に示すように、この充電制御方法の他の例では、ステップＳＴ１２の後に、ステップＳＴ１３を行わずに、すぐにステップＳＴ１４を行う。
【００５１】
すなわち、充電制御部１５の制御に基づいて、直流電源部１１のスイッチＳＷ１がオンになり、充電端子Ｔ１１に検査用直流電圧が供給される。これに伴い、直流信号検出部１３が充電端子Ｔ１１の直流電圧を検出する（ステップＳＴ１２）。これに続いて、充電制御部１５の制御に基づいて、交流電源部１２のスイッチＳＷ２がオンになり、充電端子Ｔ１１において検査用交流電圧が検査用直流電圧に重畳される。これに伴い、交流信号検出部１４が充電端子Ｔ１１の交流電圧を検出する（ステップＳＴ１４）。
【００５２】
次に、充電制御部１５は、直流信号検出部１３が検出した充電端子Ｔ１１の直流電圧が、二次電池装置２０の抵抗値によって定まる基準範囲に含まれ、かつ、交流信号検出部１４が検出した充電端子Ｔ１１の交流電圧が、二次電池装置２０のインピーダンス値によって定まる基準範囲に含まれるか否か判定する（ステップＳＴ２５）。
【００５３】
直流信号検出部１３が検出した充電端子Ｔ１１の直流電圧と、交流信号検出部１４が検出した充電端子Ｔ１１の交流電圧のいずれかが基準範囲に含まれない場合（ステップＳＴ２５ＮＯ）、充電制御部１５は、充電端子Ｔ１１に接続された物体が二次電池装置２０でないと判定し、充電を開始せずに終了する。
【００５４】
一方、直流信号検出部１３が検出した充電端子Ｔ１１の直流電圧と、交流信号検出部１４が検出した充電端子Ｔ１１の交流電圧のいずれもが基準範囲に含まれる場合（ステップＳＴ２５ＹＥＳ）、充電制御部１５は、充電端子Ｔ１１に接続された物体が二次電池装置２０であると判定する。そして、充電制御部１５は、充電端子Ｔ１１に充電用直流電圧を供給するように直流電源部１１を制御し、充電を開始する（ステップＳＴ１６）。
【００５５】
図２の例では、充電端子Ｔ１１に検査用直流電圧を供給した後（ステップＳＴ１２）、充電端子Ｔ１１の直流電圧が基準範囲に含まれるか否か判定する（ステップＳＴ１３）。そして、充電端子Ｔ１１の直流電圧が基準範囲に含まれる場合（ステップＳＴ１３ＹＥＳ）、充電端子Ｔ１１に検査用交流電圧を重畳させる（ステップＳＴ１４）。一方、充電端子Ｔ１１の直流電圧が基準範囲に含まれない場合には（ステップＳＴ１３ＮＯ）、充電端子Ｔ１１に検査用交流電圧を供給しない。
【００５６】
これに対し、図３の例では、充電端子Ｔ１１に検査用直流電圧を供給した後（ステップＳＴ１２）、続けて充電端子Ｔ１１に検査用交流電圧を重畳させる（ステップＳＴ１４）。すなわち、必ず充電端子Ｔ１１に検査用交流電圧を供給する。そして、充電端子Ｔ１１の直流電圧が基準範囲に含まれるか否かの判定と、充電端子Ｔ１１の交流電圧が基準範囲に含まれるか否かの判定とをまとめて行う（ステップＳＴ２５）。
【００５７】
図２の例では、充電端子Ｔ１１の直流電圧が基準範囲に含まれる場合、その後に充電端子Ｔ１１に検査用交流電圧を重畳させて判定する。すなわち、判定をステップＳＴ１３、ＳＴ１５に分けて２回行う必要があるため、所要時間が長くなる。
一方、図３の例では、必ず充電端子Ｔ１１に検査用交流電圧を重畳させる必要があるが、判定はステップＳＴ２５における１回しか行わない。そのため、充電端子Ｔ１１の直流電圧を供給する時間は常に一定であり、図２の例においてステップＳＴ１３、ＳＴ１５の２回の判定を行う場合よりも所要時間は短くなる。
【００５８】
（第２の実施形態）
次に、図４を参照して、第２の実施形態に係る充電システムについて説明する。図４は、第２の実施形態に係る充電システムの二次電池装置２０を示すブロック図である。
図４に示すように、第２の実施形態に係る充電システムの二次電池装置２０では、電池セル２１と並列接続されたフィルタ回路２３が設けられている。フィルタ回路２３は、並列接続された抵抗Ｒ１とコンデンサＣ１とを備えている。なお、図４に示したフィルタ回路２３の構成は、あくまでも一例であって、図４の構成に限定されるものではなく、種々の構成が考えられる。
【００５９】
第２の実施形態に係る充電システムでは、二次電池装置２０にフィルタ回路２３を設けることにより、二次電池装置２０のインピーダンス値の製造ばらつきを抑制することができる。そのため、例えば二次電池装置２０のインピーダンス値によって定まる基準範囲の幅を狭くすることができる。その結果、充電装置１０の充電端子Ｔ１１に接続された物体が二次電池装置２０であるか否かの判定の精度を向上させることができる。
また、二次電池装置２０の種別毎にフィルタ回路２３のインピーダンス値を設定することにより、二次電池装置２０の種別を簡易に判定することができる。
【００６０】
（第３の実施形態）
次に、図５を参照して、第３の実施形態に係る充電システムについて説明する。図５は、第３の実施形態に係る充電システムを示すブロック図である。
図５に示すように、第３の実施形態に係る充電システムの二次電池装置２０では、フィルタ回路２３が電池セル２１と直列接続されている。そして、フィルタ回路２３と電池セル２１との間のノードに接続された検出端子Ｔ２３が設けられている。
【００６１】
第３の実施形態に係る充電システムの充電装置１０には、検出端子Ｔ２３に接続される検出端子Ｔ１３が設けられている。そして、直流信号検出部１３は、充電端子Ｔ１１ではなく検出端子Ｔ１３の直流電圧を検出する。交流信号検出部１４は、充電端子Ｔ１１ではなく検出端子Ｔ１３の交流電圧を検出する。
【００６２】
第３の実施形態に係る充電システムでも、二次電池装置２０にフィルタ回路２３を設けることにより、二次電池装置２０のインピーダンス値の製造ばらつきを抑制することができる。そのため、例えば二次電池装置２０のインピーダンス値によって定まる基準範囲の幅を狭くすることができる。その結果、充電装置１０の充電端子Ｔ１１に接続された物体が二次電池装置２０であるか否かの判定の精度を向上させることができる。
また、二次電池装置２０の種別毎にフィルタ回路２３のインピーダンス値を設定することにより、二次電池装置２０の種別を簡易に判定することができる。
【００６３】
さらに、充電端子Ｔ１１とは別に検出端子Ｔ１３を設けているため、充電装置１０の充電端子Ｔ１１に接続された物体が二次電池装置２０であるか否かの判定の精度を向上させることができる。二次電池装置２０でない物体が、充電端子Ｔ１１に接続される（接触する）と同時に、検出端子Ｔ１３にも接続される（接触する）可能性は低いからである。
【００６４】
なお、本発明は上記実施形態に限られたものではなく、趣旨を逸脱しない範囲で適宜変更することが可能である。
【符号の説明】
【００６５】
１０  充電装置
１１  直流電源部
１２  交流電源部
１３  直流信号検出部
１４  交流信号検出部
１５  充電制御部
２０  二次電池装置
２１  電池セル
２２  電池管理部
２３  フィルタ回路
ＡＰ  交流電源
Ｃ１  コンデンサ
ＤＰ  直流電源
ｒ  内部抵抗
Ｒ１  抵抗
ＳＷ１、ＳＷ２、ＳＷ３  スイッチ
Ｔ１１、Ｔ２１  充電端子
Ｔ１２、Ｔ２２  グランド端子
Ｔ１３、Ｔ２３  検出端子
ｚ  内部インピーダンス
【図１】
2018050396.tif 000003
【図２】
2018050396.tif 000004
【図３】
2018050396.tif 000005
【図４】
2018050396.tif 000006
【図５】
2018050396.tif 000007